(57)【要約】【課題】  操作パネルの開閉制御を店の管理者が簡単に設定できるカラオケ装置を提供する。【解決手段】  営業モード起動処理とサービスマンモード起動処理とを可能とする制御手段は、主電源オフ時にはアイドルモードとなり、サービスマンモード起動処理は、アイドルモードにて主電源スイッチが他の特定スイッチと組み合わせてオンになったとき、サービスマンモードのプログラムを実行し、格納式操作パネルの入力に応答し、開閉可能モード、開固定モード、閉固定モードのいずれかに設定記憶するモード設定処理を可能とし、営業モード起動処理は、アイドルモードにて主電源スイッチがオンになったとき、営業モードのプログラムを実行し、開固定モードに設定されていれば格納式操作パネルを開状態とし、閉固定モードに設定されていれば格納式操作パネルを閉状態とし、開閉可能モードに設定されていればパネル開閉スイッチの入力に応答して格納式操作パネルを開閉するカラオケ装置とする。【選択図】    図７
2005099576.tif 000002
【特許請求の範囲】
【請求項１】
主電源スイッチと、格納式操作パネルと、パネル開閉スイッチと、制御手段とを備え、主電源オフ時には制御手段がアイドルモードとなるカラオケ装置であって、
制御手段は、営業モード起動処理と、サービスマンモード起動処理とを可能とし、
サービスマンモード起動処理は、アイドルモードにて主電源スイッチが他の特定スイッチと組み合わせてオンになったとき、サービスマンモードのプログラムを実行し、モード設定処理を可能とし、
モード設定処理では、格納式操作パネルの入力に応答し、開閉可能モード、開固定モード、閉固定モードのいずれかに設定記憶し、
営業モード起動処理は、アイドルモードにて主電源スイッチがオンになったとき、営業モードのプログラムを実行し、開固定モードに設定されていれば格納式操作パネルを開状態とし、閉固定モードに設定されていれば格納式操作パネルを閉状態とし、開閉可能モードに設定されていればパネル開閉スイッチの入力に応答して格納式操作パネルを開閉する
カラオケ装置。
【請求項２】
制御手段は、サービスマンモードにおいて、パネル開閉スイッチの入力に応答して格納式操作パネルを開閉する
請求項１に記載のカラオケ装置。
【請求項３】
サービスマンモード起動用の特定スイッチは、格納式操作パネルに含まれている
請求項２に記載のカラオケ装置。
【発明の詳細な説明】
【技術分野】
【０００１】
この発明はカラオケ装置に関し、とくに、格納式操作パネルの開閉モード設定技術に関する。
【背景技術】
【０００２】
オーディオやテレビの操作パネルは、よく知られているように、頻繁に使うボタンを前面に露出させ、それ以外のスイッチは開閉自在なカバーで覆われたりして隠されている場合が多い。たとえばオーディオの主電源スイッチや再生／停止スイッチなどや、テレビの主電源スイッチやチャンネル切替スイッチなどは日常的に使うため、すぐに操作できるようにスイッチが露出している場合が多い。これに対して、たとえばオーディオのエフェクトスイッチやテレビのチャンネル同調スイッチなど、日常的には操作するが必要ではないスイッチは隠されていたりする。あまり機械の操作に慣れていない一般的な人が操作を誤ることを防止したり、塵や埃から機械を守ったりするために役だっている。
【０００３】
カラオケ装置においても同様に、限られたスペースにすべてのスイッチを露出配設するわけではなく、使う機会が少ないスイッチは隠すようにしている場合が多い。
【発明の開示】
【発明が解決しようとする課題】
【０００４】
カラオケ装置は、同じ機種といえども店の営業方針や利用シーンなどによりさまざまな使われ方が想定される。たとえばカラオケパブのような業態の店では、もっぱら店員やママさんがカラオケ装置を操作し、利用客が操作する機会はめったにない。このような店でカラオケ装置の操作に慣れた店員が操作する場合には、カラオケ装置に備わる多種多様な付加機能をオン／オフにする操作や、店の管理のために必要な設定をする操作などができると便利である。
【０００５】
一方、ママさんが接客の材料としてカラオケを利用する場合は、余計な付加機能をオン／オフするひまも機会もあまりない。酔った客にいたずらに操作されてしまうことも防止したい。このような場合には、できるだけ操作は簡便な方がよい。
【０００６】
これに対してカラオケボックスでは、各部屋に入った一般の利用者がめいめいに操作して利用する。このような業態の店では、カラオケ装置のもつあらゆる機能を利用者に自由に使ってもらいたいという場合がある。
【０００７】
しかしカラオケボックスでは、機械操作に全般的に詳しい人や機械音痴といわれるような人など、いろいろなタイプの利用者がカラオケ装置を操作する機会がある。したがって、利用者が操作に迷わないようにするために、また、装置の故障回数をなるべく減らすためにも、操作はできるだけ簡便な方がよいという場合がある。リモコンで操作できる範囲だけを利用してもらい、その他のカラオケ装置でのみ操作可能な機能は利用させたくないという場合もある。
【０００８】
このような様々な利用シーンにあわせて別の機種を製造するのでは開発コストなどの面で著しく不経済である。そこで、本発明者らは、操作パネルの有効／無効を店の管理者が簡単に設定できるカラオケ装置があると便利だと考えた。
【課題を解決するための手段】
【０００９】
本発明者らは、上記事情に鑑み、操作パネルを格納式にし、店の管理者がこのパネルの開閉制御を設定できると便利だと考えて本発明を創作した。この発明は、次の事項（１）〜（５）により特定されるものである。  
（１）主電源スイッチと、格納式操作パネルと、パネル開閉スイッチと、制御手段とを備え、主電源オフ時には制御手段がアイドルモードとなるカラオケ装置であること、
（２）制御手段は、営業モード起動処理と、サービスマンモード起動処理とを可能とすること、
（３）サービスマンモード起動処理は、アイドルモードにて主電源スイッチが他の特定スイッチと組み合わせてオンになったとき、サービスマンモードのプログラムを実行し、モード設定処理を可能とすること、
（４）モード設定処理では、格納式操作パネルの入力に応答し、開閉可能モード、開固定モード、閉固定モードのいずれかに設定記憶すること、
（５）営業モード起動処理は、アイドルモードにて主電源スイッチがオンになったとき、営業モードのプログラムを実行し、開固定モードに設定されていれば格納式操作パネルを開状態とし、閉固定モードに設定されていれば格納式操作パネルを閉状態とし、開閉可能モードに設定されていればパネル開閉スイッチの入力に応答して格納式操作パネルを開閉すること
【００１０】
この発明において、制御手段は、サービスマンモードにおいて、パネル開閉スイッチの入力に応答して格納式操作パネルを開閉することが望ましい。
【００１１】
さらに、サービスマンモード起動用の特定スイッチは、格納式操作パネルに含まれていることが望ましい。
【発明の効果】
【００１２】
本発明のカラオケ装置によれば、店の管理者が格納式操作パネルの開閉状態を簡単に制御できる。そのため、店の営業方針や業態や利用者層に合わせて、利用者が操作に迷わないように、あるいはいたずらを防止するために簡便な利用者インタフェースにしたり、カラオケリモコンの使用を誘導したりでき、また、カラオケ装置の故障回数を減らしたりすることができる。
【発明を実施するための最良の形態】
【００１３】
＝＝＝カラオケ装置の基本構成＝＝＝
この発明の一実施例に係るカラオケ装置の概略構成を図１に例示している。このカラオケ装置は、周知のパソコン相当のコンピュータ応用機器である。中央処理装置１がＣＰＵ・ＲＡＭ・ＲＯＭを含むコンピュータ本体であり、大容量の外部記憶としてのハードディスク装置２とＣＤ−ＲＯＭやＤＶＤ−ＲＯＭなどの光ディスク再生装置３と、加入者電話回線やＩＳＤＮ電話回線を介してカラオケホスト装置と通信する通信制御装置４と、利用者からの入力と利用者に向けての応答をやりとりする利用者インタフェース装置５と、ＭＩＤＩ形式の音楽演奏データに基づいて伴奏音楽の音響信号を生成する音楽生成装置６と、伴奏音楽やマイクロホンからの音響信号を増幅してスピーカから発音する音響装置７と、ＣＲＴやＬＣＤあるいはＰＤＰなどを用いたディスプレイ８と、このディスプレイ８に表示すべき映像データを処理する映像処理装置９と、モータを駆動するモータ駆動回路１０とを備えている。
【００１４】
利用者インタフェース装置５には、装置本体の操作パネルやカラオケリモコン装置が含まれ、双方向通信が可能な短距離無線通信手段（ＩｒＤＡトランシーバ・赤外線ＬＥＤ・赤外線受光素子）を備えている。中央処理装置１は利用者インタフェース装置５から演奏予約コマンドを受信すると、含まれている楽曲ＩＤ（楽曲識別符号）を受け取った順に演奏予約の待ち行列に登録する。  
そして待ち行列から登録順に楽曲ＩＤを取り出して、カラオケデータベースから該当する楽曲用のカラオケデータを取りだして演奏処理に供する。
【００１５】
＝＝＝操作パネルの構成＝＝＝
このカラオケ装置の前面には、図２に例示したように、主電源スイッチ２１や音量調節スイッチ２２や表示部２３などの基本的機能の利用に必要不可欠なものの他に、テンキーやよく知られたキーコントロールやテンポコントロールなどの付加的な機能を起動するための操作スイッチ群が配設された操作パネル２４が含まれて構成される。
【００１６】
操作パネル２４は柱状の回転部材に配設されている。この回転部材は、柱の中心付近を貫通する回転軸を中心に回転可能に構成され、回転軸がカラオケ装置の前面および底面に平行になるようにカラオケ装置に取り付けられている。また、回転軸にはパルスモータが接続されており、中央処理装置１がモータ駆動回路１０を介して回転軸の回転動作を制御したり回転状態を管理したりしている。
【００１７】
図３は本実施例のカラオケ装置の側面図である。とくに図３（Ａ）は操作パネル２４を閉じた状態（閉状態）であり、また図３（Ｂ）は操作パネル２４を開けた状態（開状態）を示している。
【００１８】
回転部材３１は、図３に破線で示されているように、カラオケ装置側面からみた断面が概略扇形をなす柱状体である。扇形の二辺に対応する回転部材３１の二平面には、操作スイッチを配した操作パネル面３２と、操作スイッチの無い面３３とがそれぞれ形成されている。この回転部材３１がカラオケ装置前面および底面に平行な回転軸３４を中心にして、下方に回転（順転）３５して図２のような操作スイッチ群を装置前面に出して開状態にしたり（パネルを開けたり）、上方に回転（逆転）３６して図４に例示したように操作パネル群を装置内部に隠して閉状態にしたり（パネルを閉じたり）する動作が可能である。
【００１９】
また、このような操作パネル２４の開閉動作を指示するためのパネル開閉スイッチ２５が、前面の操作パネル（回転部材）２４外の箇所に配設されている。パネル開閉スイッチ２５が有効な場合には、これが利用者によって指示されると、中央処理装置１はモータ駆動回路１０に対して、回転軸を所定の角度で順転させる信号や逆転させる信号を発して操作パネル２４の開閉状態を変化させる。中央処理装置１はまた、操作パネル２４の開閉状態を管理している。
【００２０】
＝＝＝操作パネル２４の開閉動作モード設定＝＝＝
操作パネル２４の開閉動作には、カラオケ装置の利用シーンによって使い分け可能な３つの動作モードを設定できるように構成されている。１つはパネル開閉スイッチ２５が有効で操作パネル２４の開閉を利用者が自由に操作可能な開閉可能モード、もう１つは操作パネル２４を開状態のままで利用者の開閉指示を受け付けない開固定モード、残りの１つは操作パネル２４を閉状態のままで利用者の開閉指示を受け付けない閉固定モードである。
【００２１】
開閉可能モードは、例えばカラオケパブのような業態の店で、利用者がカラオケ装置を操作する機会は少なくもっぱら店員が操作するような場合や、カラオケボックスなどで利用者にカラオケ装置の機能を最大限に利用してもらいたい場合などに設定する。  
また開固定モードは、誤って操作パネルを閉じてしまって操作を中断してしまうことを防止したい場合や、カラオケリモコン装置の使用を制限したい場合などに設定する。カラオケリモコン装置の数が少ない場合や故障している場合などに便利である。  
閉固定モードは、利用者のいたずらを防止したい場合や、カラオケボックスなど主に利用者がカラオケ装置を操作するような店において、利用者にカラオケリモコンで可能な操作以外はさせたくない場合や、多機能カラオケリモコン装置の使用を推奨して利用拡大を図りたい場合などに設定すると便利である。
【００２２】
このような動作モードの設定は、カラオケ装置の管理者（サービスマン）によって可能である。すなわち本カラオケ装置で起動されるプログラムには、通常のカラオケサービス稼働状態（営業モード）で使用されるユーザインタフェースに加えて、ソフトウェア上で各種プログラムの動作設定やディスプレイに表示する項目設定等が可能なサービスマンモードのユーザインタフェースが備わっており、各ユーザインタフェースが切替可能に構成されている。そして、管理者が起動できるサービスマンモードにおいて、上述のような操作パネル２４の動作モードを選択して設定するユーザインタフェースが用意されている。
【００２３】
本実施例において、カラオケ装置の電源オフの状態（アイドルモード）では操作パネル２４は閉状態（図４）になっている。この状態で一般の利用者がカラオケ装置を操作する機会はなく、管理者のみが操作することが想定される。またこのアイドルモードでは、操作パネル２４を開閉するための装置前面のパネル開閉スイッチ２５は（開閉可能モード・開固定モード・閉固定モードのいずれの動作モードであっても）有効になっている。
【００２４】
したがって、アイドルモードでパネル開閉スイッチ２５が指示されると、中央処理装置１は回転軸を順転３５させる制御信号を発し、操作パネル２４が開いて前面に現れる。この状態において、操作パネル２４内に配設されているテンキーにより特定の数字が指示されたまま（あるいは指示された直後に続けて）、さらに前面の主電源スイッチ２１が指示された（すなわち、主電源スイッチ２１が、特定スイッチとしての特定数字キーと組み合わせて指示された）ことを中央処理装置１が認知すると、サービスマンモードのユーザインタフェースを起動する。
【００２５】
サービスマンモードでは、各種機能のオン／オフを設定したり時間などの設定値を入力したりするメニューを利用可能である。たとえば、ディスプレイ８に利用可能なメニューが階層的に表示され、順を追って希望の選択肢を選択指示していく。そして目的のメニューにたどりつくと、希望の設定を選択肢の中から選択指定して設定することが可能である。これにしたがって、前述の動作モードの１つを選択して指定することができる。
【００２６】
図５は、操作パネル開閉の動作モードを開閉可能モード・開固定モード・閉固定モードいずれかに設定する処理についての処理フローを例示した図である。サービスマンモードを起動すると、前述したように利用可能なメニューが適宜にディスプレイ８に表示される（図５のステップ５０１）。この中から操作パネルの開閉動作モードを設定するためのメニューが管理者により選択されると（ステップ５０２）、まず現在設定されているモードが表示される（ステップ５０３）。管理者は、モード変更を希望する場合には、カーソルを移動したり、表示されている対応の数字を入力したりして、希望のモードを選択入力する（ステップ５０４）。
【００２７】
ここで開閉可能モードが選択された場合には、中央処理装置１は開閉モードフラグに「開閉可能モード」を設定して適宜な記憶部に記憶するとともに、ディスプレイ８に開閉可能モードに設定されたことを表示する（ステップ５１１）。  
開固定モードが選択された場合には、中央処理装置１は同様に開閉モードフラグに「開固定モード」を設定して記憶するとともに、ディスプレイ８に開固定モードに設定されたことを表示する（ステップ５２０〜５２１）。  
また閉固定モードが設定された場合には、中央処理装置１は開閉モードフラグに「閉固定モード」を設定して記憶するとともに、ディスプレイ８に閉固定モードに設定されたことを表示する（ステップ５３１）。
【００２８】
管理者の希望の設定が終了した場合には、管理者の所定の操作により設定を完了させる。たとえばサービスマンモードにおいては、サービスマンモードから営業モードのインタフェースに切り替えるためのメニューも用意されており、サービスマンモードから営業モードのインタフェースに切り替えたうえでアイドルモードにして設定を完了させることができる。
【００２９】
なお、サービスマンモードにていずれの動作モードも選択指示しない場合には、デフォルト設定として開閉可能モードに設定される。
【００３０】
＝＝＝営業モードの初期処理＝＝＝
アイドルモードにて主電源スイッチ２１が単独で指示された場合には、カラオケ装置のプログラムは営業モードにて起動される。図６に営業モードによる起動時の初期設定処理についてのフロー図を例示している。営業モードで起動されると、まず中央処理装置１は開閉モードフラグを確認し、設定記憶されている動作モードに応じて操作パネル２４の開閉状態を初期設定する。
【００３１】
すなわち、開固定モードに設定されている場合には（図６のステップ６１０）、操作パネル２４の開閉状態を確認し、操作パネル２４が閉じていれば（ステップ６１１）回転部材３１を順転３５させる信号を発して操作パネル２４を開状態にする（ステップ６１２）。  
また、閉固定モードに設定されている場合には（ステップ６２０）、操作パネル２４が開いていれば（ステップ６２１）回転部材３１を逆転３６させる信号を発して操作パネル２４を閉状態にする（ステップ６２２）。
【００３２】
＝＝＝各動作モードにおけるパネル開閉動作＝＝＝
図７にパネル開閉スイッチ２５が指示された場合の処理フロー図を例示している。  
パネル開閉スイッチ２５が指示されたときにアイドルモードであった場合には、前述のとおり、パネル開閉の動作モードの設定によらず、パネルは開閉される。すなわち、中央処理装置１は、アイドルモードであることを認識すると（図７のステップ７０１）、操作パネル２４の開閉状態を確認し、もし操作パネル２４が閉じていたら、回転部材３１を順転３５させる信号を発して操作パネル２４を開状態にし、操作パネル２４が開いていたら、回転部材３１を逆転３６させる信号を発して操作パネル２４を閉状態にする（ステップ７０４）。
【００３３】
パネル開閉スイッチ２５が指示されたときにサービスマンモードの場合（ステップ７０２）および開閉可能モードの場合（ステップ７０３）も同様に、中央処理装置１は開状態ならば閉状態に、閉状態ならば開状態に、状態を反転させるように回転軸を順転３５あるいは反転３６させる信号を発する（ステップ７０４）。
【００３４】
一方、パネル開閉スイッチ２５が指示されたときにその他のモード、すなわち、開固定モードの場合および閉固定モードの場合には、中央処理装置１はパネル開閉スイッチ２５の指示入力によらず、パネル開閉状態を維持する。すなわち、開固定モードでは開状態のまま、閉固定モードでは閉状態のままとする。
【００３５】
本実施例では、主電源スイッチ２１と組み合わせてサービスマンモードを起動する特定スイッチとして、操作パネル２４内に配設されるテンキーの特定数字キーとしたが、本発明はこれに限定されるものではない。他の操作パネル２４内のスイッチを特定スイッチとしてもよい。
【００３６】
また、特定スイッチとして、操作パネル２４外に配設されている音量調整スイッチ２２等を用いる構成であってもよい。その場合はとくに、アイドルモードにおいても、電源オフにする直前に設定されていた動作モードに従ってパネル開閉ボタン２５の指示を受けつけたり受けつけなかったりするように構成することも可能となる。
【００３７】
以上に説明した実施例によれば、店の管理者がカラオケ装置の操作パネル２４の開閉状態を簡単に制御できる。そのため、店の営業方針や業態や利用者層に合わせて、利用者が操作に迷わないような、またいたずらを防止するような簡便なインタフェースにしたり、カラオケリモコンを使うように誘導したり、カラオケ装置の故障回数を減らしたりすることができる。
【図面の簡単な説明】
【００３８】
【図１】本実施例に係るカラオケ装置のシステム構成例を示した図である。
【図２】上記カラオケ装置の前面操作パネルが開いた状態を例示した図である。
【図３】上記カラオケ装置の側面図である。
【図４】上記カラオケ装置の前面操作パネルが閉じた状態を例示した図である。
【図５】本実施例に係る操作パネルの開閉動作モードを設定する際の処理フロー図である。
【図６】本実施例に係るカラオケ装置を営業モードで起動する際の初期設定処理のフロー図である。
【図７】本実施例に係る操作パネルの開閉制御についての処理フロー図である。
【符号の説明】
【００３９】
１  中央処理装置
５  利用者インタフェース装置
１０  モータ駆動回路
２１  主電源スイッチ
２４  操作パネル
２５  パネル開閉スイッチ
【図１】
2005099576.tif 000003
【図２】
2005099576.tif 000004
【図３】
2005099576.tif 000005
【図４】
2005099576.tif 000006
【図５】
2005099576.tif 000007
【図６】
2005099576.tif 000008
【図７】
2005099576.tif 000009